(57)【特許請求の範囲】
【請求項１】
内部にウェブ積層体を収納した袋状容器と、前記袋状容器を収納保持可能に構成された保持枠体と、を備えたウェブ収納容器において、
保持枠体は、前部と後部と側部と底部を有しており、
前記袋状容器には、前面部に、ウェブ取出口と、前記袋状容器の前面部又は側面部から突出する係合部とが設けられており、
前記保持枠体の側部から保持枠体内向きに突出した支持部にて支持される被係合部が形成されており、
前記被係合部が、前記保持枠体の前部から後部側に向かって間隔をあけた所定位置に配置されており、
前記係合部と前記被係合部が係合することにより、前記袋状容器が前記保持枠体に保持されることを特徴とするウェブ収納容器。
【請求項２】
前記被係合部は、前記係合部と前記被係合部が係合した状態で前記係合部よりも前方側に位置するように配置されている、請求項１に記載のウェブ収納容器。
【請求項３】
保持枠体は、向かい合う２つの側部を有しており、
前記支持部は、前記保持枠体の両側部それぞれに形成されており、それぞれの支持部にて支持される前記被係合部が形成されている、請求項１または２に記載のウェブ収納容器。
【請求項４】
前記保持枠体の前記被係合部の前面には、前記ウェブ取出口に対向する位置に枠体開口部が形成されている、請求項１から３のいずれかに記載のウェブ収納容器。
【請求項５】
前記袋状容器の前記係合部が、前記袋状容器の前記ウェブ取出口のある面に配置されている、請求項１から４のいずれかに記載のウェブ収納容器。
【発明の詳細な説明】
【技術分野】
【０００１】
本発明は、ウェットティッシュやウェットシート等のようなウェブを収納するウェブ収納容器に関する。
なお、本明細書においては、一般にウェットティッシュ、清掃シート、赤ちゃんのお尻ふき、眼鏡クリーナーと呼ばれる繊維シートに薬液を染み込ませたものの総称としてウェブという概念が用いられる。また、ウェブとは略矩形状の繊維シートを意味し、ウェブ積層体とは、独立のウェブを、一部分を重複させて折り畳み積層したもの及び、長尺の繊維シートに等間隔の切り込みを入れ、分断予定部を構成したものを折りたたんで積層したものを含むものとする。
【背景技術】
【０００２】
現在、ウェットティッシュやウェットシート等のように、水分、アルコール、又は、その他の薬液をウェブに含浸させた製品が、清掃用や清拭用など、各種の用途に利用されている。このような、液体を含浸させたウェブの包装形態にはいくつかの種類があり、多数枚のウェブを積層して円筒形のプラスチック製のボトル内に収納したもの（ボトルタイプ）や、袋状のプラスチックフィルム内に収納したもの（袋タイプ）などが知られている（例えば特許文献１、２）。
【先行技術文献】
【特許文献】
【０００３】
【特許文献１】特開２０１０−１１６２００号公報
【特許文献２】特開平９−１５６６７６号公報
【発明の概要】
【発明が解決しようとする課題】
【０００４】
袋状のプラスチックフィルム（袋体）内にウェブを収納したいわゆる「袋タイプ」のものは、収納されているウェブの残量が少なくなってくると、袋体、即ち、プラスチックフィルムに皺が形成され易く、外観が損なわれてしまうという問題がある。
ところで、ウェットティッシュ収納体としては、袋タイプのものに限らず、ウェブをプラスチック製のウェットティッシュ収納体に収納することが提案されている（特許文献１）。プラスチック製のウェットティッシュ収納体は、いわゆる詰め替え容器となっている。しかしながら、内容物を詰め替えるのは煩雑である。
【０００５】
そこで、詰め替え作業を省略し、ウェブを収納した袋状容器を紙箱とプラスチックを組み合わせたウェットティッシュ包装体に収納する試みがなされている（特許文献２）。しかしながらこれらの収納体は、内容物の減少に伴い、取出し口との距離が増大するので、取出し口にウェブの先端を保持できなかった場合に、次のウェブを取り出すことが容易でない。また、これらの収納体は水平に置かれて上方にウェブを取り出すもので、置く場所が水平面に限られる。また、これらの収納体では、ウェットティッシュ包装体の内部空間のうち袋状容器で占められる空間を除いた残りの空間部分がデッドスペースになってしまう。
【０００６】
本発明の目的は、詰め替えが容易で、美観にも優れ、かつ取出し口の方向を上方、水平方向、下方のいずれに向けてもウェブの取り出しと蓋の開閉が容易なウェブ収納容器を提供するとともに、内部空間を有効に活用可能なウェブ収納容器を提供することである。
【課題を解決するための手段】
【０００７】
本発明のウェブ収納容器は、上記課題を解決するための手段として、次の構成を有している。なお、説明の便宜のため、ウェブの取出し方向を水平方向にするため袋状容器の短辺を下にした状態を基準にして説明するが、本発明のウェットティッシュ容器の使用する場合の方向を示すものではない。
【０００８】
本発明は、内部にウェブ積層体を収納した袋状容器と前記袋状容器を収納保持するための保持枠体とを備えたウェブ収納容器において、前記保持枠体は、後部、側部、底部を有し、前記袋状容器には、前面部に、ウェブ取出口と、前記袋状容器の前面部又は側面部から突出する係合部とが設けられており、前記保持枠体の側部から保持枠体内向きに突出した支持部にて支持される被係合部が形成されており、前記被係合部が、前記保持枠体の前部から後部側に向かって間隔をあけた所定位置に配置されており、前記係合部と前記被係合部が係合することにより、前記袋状容器が前記保持枠体に保持されることを特徴とする。
【０００９】
本発明においては、前記被係合部は、前記係合部と前記被係合部が係合した状態で前記係合部よりも前方側に位置するように配置されていてもよい。
【００１０】
本発明においては、保持枠体は、向かい合う２つの側部を有しており、且つ、前記支持部は、前記保持枠体の両側部それぞれに形成されており、それぞれの支持部にて支持される前記被係合部が形成されていてもよい。
【００１１】
本発明においては、前記保持枠体の前記被係合部の前面には、前記ウェブ取出口に対向する位置に枠体開口部が形成されていてもよい。
【００１２】
本発明においては、前記袋状容器の前記係合部が、前記袋状容器の前記ウェブ取出口のある面に配置されていてもよい。
【発明の効果】
【００１３】
本発明によれば、この発明にかかるウェブ収納容器によれば、袋状容器を縦向きに保持した状態で、保持枠体を水平面上に安定した状態に置くことができるので、ウェブを卓上に縦置きにして安定した状態で使用することができる。
【００１４】
さらに本発明によれば、保持枠体の側部から保持枠体の内部方向に突出した支持部で被係合部が支持されており、保持枠体の前部と被係合部との間に間隔が存在していることから、保持枠体の前部と被係合部との間にスペースが形成され、そのスペースに緩衝材を取り付けて緩衝材で蓋体を隠蔽することができ、保持枠体の内部空間をより有効に活用することができる。すなわち、ウェブ収納容器の持ち運び時や搬送時などに、ウェブ収納容器を誤って保持枠体の前部側を下向きにして落下してしまった場合にあっても、緩衝材による緩衝作用によって蓋体が守られ、その破損の虞が抑制される。このように、本発明によれば、蓋体の破損抑制の効果がもたらされるように保持枠体の内部空間をより有効に活用することができるのである。また、本発明によれば、保持枠体の前部と被係合部との間のスペースには、広告用紙やメモ用紙等を保持することができるとともに、蓋体を隠蔽することができ、美観をより向上させることも可能である。
【００１５】
また、本発明によれば、保持枠体の前部で被係合部が覆われた状態を形成するようにすることが可能であり、その場合、被係合部を保護することができる。袋状容器と前記保持枠体とが係合された状態でウェブ取出口からウェブを枠体開口部の外側に向かって引き出す際に、ウェブに引き出し力が強く負荷されたとしても、支持部で引き出し力を吸収できて収納容器に負荷される力で保持枠体の形状に歪みを生じにくい。保持枠体の形状に歪みが生じると、保持枠体の上面の開口から袋状容器が飛びだしやすくなる虞があるところ、上述のように本発明によれば、保持枠体の形状に歪みを生じにくいことから、このような虞が低減される。
【００１６】
本発明のウェブ収納容器は、保持枠体の後部を卓上に載せれば、ウェブを卓上に横置きにして安定した状態で使用することができる。
【００１７】
本発明のウェブ収納容器は、保持枠体の支持部と被係合部にて袋状容器の前面部が保持されるので、袋状容器内のウェブが次第に減ってきても、袋状容器がガタつくことなく保持枠体内に安定した状態に保持され、ウェブを最後まで容易に引き出すことができる。そして、本発明のウェブ収納容器袋状容器がガタつきにくいことから、ウェブを保持枠体外の吊り下げ具で吊り下げた状態等であっても、袋状容器を保持枠体内に安定した状態に保持して、ウェブを容易に引き出すことができる。
【図面の簡単な説明】
【００１８】
【図１】図１は、本発明の第１の実施例のウェブ収納容器の袋状容器と保持枠体とが分離した状態の斜視図である。
【図２】図２は、本発明の第１の実施例の袋状容器の側面断面図である。
【図３】図３は、本発明の第１の実施例の保持枠体の背面斜視図である。
【図４】図４は、本発明の第１の実施例のウェブ収納容器の袋状容器と保持枠体とが係合した状態の部分平面断面を示す略示図である。
【図５】図５は、本発明の第１の実施例のウェブ収納容器の袋状容器と保持枠体とが係合した状態の斜視図である。
【図６】図６の（６Ａ）は、本発明の第２の実施例の保持枠体の背面斜視図である。図６の（６Ｂ）は、本発明の第２の実施例のウェブ収納容器の袋状容器と保持枠体とが係合した状態の部分平面断面を示す略示図である。
【図７】図７の（７Ａ）、（７Ｂ）は、それぞれ本発明における保持枠体の支持部の他の実施例を示す要部説明図である。
【発明を実施するための形態】
【００１９】
本発明の実施例を図面に基づいて説明する。図１〜図５は本発明の第１の実施例のウェブ収納容器を示している。なお、図５では、説明の便宜上、袋状容器１０の上面、底面１１ｆ等の詳細の構成の記載は省略する。
図１に示されるように、ウェブ収納容器は、内部にウェブ（即ちウェットティッシュ等）の積層体１を収納した袋状容器１０と、袋状容器１０を収納保持するための保持枠体２０とを備えている。
【００２０】
図２は袋状容器１０を示している。この実施例の袋状容器１０は略直方体状に形成されていて、柔軟なプラスチックフィルムによって形成された袋体１１内にウェブの積層体１が収納包装されている。袋体１１の前面１１ａには、袋状容器１０内の積層体１からウェットティシュを一枚ずつ分離して引き出すためのウェブ取出口１２が開口形成されている。なお袋体１１の前面１１ａとは、袋体１１の６面のうちウェブ取出口１２が開口配置されている面をいう。そして、図１に示されるように、ウェブ取出口１２が水平方向に向けて開口する状態を基準として、前面１１ａ以外の各面を、背面１１ｂ、左右両側面１１ｃ、１１ｄ、上面１１ｅ、底面１１ｆというものとする。なお、袋状容器１０において、袋体１１の前面１１ａを構成する部分が前面部１０ａをなし、袋体１１の側面１１ｄを構成する部分、袋体１１の側面１１ｃを構成する部分がそれぞれ側面部１０ｄ、１０ｃをなす。
【００２１】
袋状容器１０の前面１１ａ、背面１１ｂ、左右両側面１１ｃ、１１ｄ及び底面１１ｆは、袋状容器１０が保持枠体２０に収納保持された状態の時において、それぞれ、後述する保持枠体２０の前部２０ａ、後部２０ｂ、左右両側部２０ｃ、２０ｄ及び底部２０ｆに対して向かい合う。
【００２２】
ウェブ取出口１２には、比較的硬質のプラスチック製構造部材である出口部材１３が固着されている。出口部材１３内には、先頭のウェブが指先で摘んで引き出される際に、そのウェブに引っ張られる二番目のウェブに摩擦抵抗を付与して両ウェブを分離させ、先端のウェブだけが外部に引き出されるようにするための公知の抵抗付与部１４が設けられている。また、ウェブ取出口１２を密閉及び開放自在な蓋体１５が出口部材１３の中央位置に配置されている。
【００２３】
保持枠体２０は、袋状容器１０を収納保持可能に構成されている。保持枠体２０は、上面が全面開口された略６面体形状に形成されており、底部２０ｆと、底部２０ｆから立ちあがる前部２０ａと後部２０ｂと側部（図１の例では、左右両側部２０ｃ、２０ｄ）とを備えて構成されている。左右両側部２０ｃ、２０ｄは、互いに向かい合って配置されている。前部２０ａと後部２０ｂについても、互いに向かいあうように配置されている。なお、この実施例の保持枠体２０は、肉抜きのための各種形状の孔が、底部２０ｆと前部２０ａと後部２０ｂと側部２０ｃ、２０ｄのそれぞれに形成されている。
【００２４】
保持枠体２０の後部２０ｂの上端部分には、上方に延長させて取付壁２１が形成されており、図示されていない壁掛け用のフックや吸着盤等（図示せず）に係合させるための係合孔２２が、その取付壁２１に形成されている。また前部２０ａには、袋状容器１０が保持枠体２０に収納保持された状態の時に保持枠体２０が袋状容器１０のウェブ取出口１２や蓋体１５等と干渉しないようにするための枠体開口部２３が、ウェブ取出口１２に対向する位置に形成されている。この実施例の枠体開口部２３は、保持枠体２０の上面側からＵ字状に凹んだ切欠き孔状に形成されている。
【００２５】
また、袋状容器１０と保持枠体２０とを係合させた状態でウェブを引き出す操作を実施する際に支障がないように、枠体開口部２３は、袋状容器１０側（即ち、ウェブ取出口１２，出口部材１３及び蓋体１５等）と干渉しないように、ウェブ取出口１２の位置と大きさに対応した位置と大きさに形成されている。
【００２６】
保持枠体２０の左右両側部２０ｃ、２０ｄの上端部分には、紐掛孔３０、３０が設けられている。紐掛孔３０、３０に紐を通して保持枠体２０から紐が簡単に外れないように結わくことで、紐を壁掛け用のフックなどに架け置きすることができるようになる。
【００２７】
保持枠体２０には、２つの支持部３２，３２が、保持枠体２０の左右両側部２０ｃ、２０ｄそれぞれから保持枠体２０内向きに突出して形成されている。それぞれの支持部３２は、保持枠体２０の前部２０ａから奥方側に間隔をあけた位置に形成されている。支持部３２と前部２０ａとの間隔の大きさは例えば１〜２０ｍｍ程度である。なお、図１等の保持枠体２０の例では、２つの支持部３２、３２が形成されているが、少なくとも１つの支持部３２が形成されておればよい。この場合、支持部３２は、保持枠体２０の側部２０ｃ、２０ｄの少なくとも一方から保持枠体２０内向きに突出して形成されていればよい。
【００２８】
それぞれの支持部３２，３２は、その形状を特に限定されるものではなく、例えば図１のような１枚の板状であってもよいし、図７の（７Ａ）に示すように複数の板状部を並列配置して形成されたものであってもよい。また、支持部３２，３２は、丸棒状の構造部単体で構成されてもよいし、図７の（７Ｂ）に示すように丸棒状の構造部を底部２０ｆから離れる方向に複数並列配置して構成されたものであってもよい。
【００２９】
袋状容器１０と保持枠体２０には、それぞれ係合部１８と被係合部２８とが設けられている。係合部１８と被係合部２８が係合することにより、袋状容器１０と保持枠体２０とが結合状態とされ、袋状容器１０が保持枠体２０に収納保持される。
【００３０】
係合部１８は、図１に示されるように、断面形状がＬ字形のいわゆるアングル部材状に形成されていて（レール状部材ということもできるであろう）、袋状容器１０の前面１１ａのウェブ取出口１２を間に挟んでその左右両側に分かれて平行に一対設けられ、袋状容器１０の前面１１ａ部から一様の高さで前方に突出している。係合部１８は比較的硬質のプラスチック材で形成されており、図１に示されるように出口部材１３と一体に成形されていてもよいし、出口部材１３とは別体で設けられて、袋体１１に対して堅固に固定されたものであってもよい。また、図１の例では、係合部１８は、袋状容器１０の前面１１ａから突出するように形成されているが、袋状容器１０の側面１１ｃ、１１ｄから突出するように設けられてよい（図示しない）。
【００３１】
被係合部２８は、保持枠体２０の背面斜視図である図３にも示されるように、保持枠体２０の支持部３２に支持されている。図３に示す例では、２つの被係合部２８，２８が設けられて、それぞれ支持部３２，３２に支持されている。それぞれの被係合部２８は、係合部１８ががたつくことなく係合するようなＬ字形の断面形状の溝を形成した構造を備えており、且つ、一対の係合部１８の配置に対応する間隔で配置されている。
【００３２】
被係合部２８は、保持枠体２０の支持部３２と一体に成型されていてもよいし、支持部３２と別体で成形されて支持部３２に固着して設けられてもよい。このとき、被係合部２８ののうち側部２０ｃ、２０ｄに向かい合う部分で支持部３２の先端に固着されていてもよいし、被係合部２８のうち前部２０ａに向かい合う部分で支持部３２の先端に固着されていてもよい。
【００３３】
被係合部２８は、図４に示すように、保持枠体２０の前部２０ａから後部２０ｂ側に向かって間隔をあけた所定位置に配置される。被係合部２８は、係合部１８と被係合部２８が係合した状態で係合部１８よりも前方側に位置するように配置されている。
【００３４】
また、被係合部２８は、保持枠体２０の前部２０ａの外面側から枠体開口部２３を見た場合に枠体開口部２３内に臨まないように配置される。こうすることで、保持枠体２０の前部２０ａで被係合部２８が覆われた状態を形成することが可能であり、被係合部２８を外部から保護することができる。
【００３５】
保持枠体２０の側部から保持枠体２０の内部方向に突出した支持部３２で被係合部２８が支持されている。このため、保持枠体２０の前部２０ａと被係合部２８との間にスペースが形成され、スペースが緩衝材などを配置することが可能であり、ウェブ収納容器を、枠体開口部２０側を下向きに落としたような場合にあっても、緩衝材によって蓋体１５の破損の虞を抑制することも可能である。また、保持枠体２０の前部２０ａと被係合部２８との間のスペースには、広告用紙やメモ用紙等を保持することができることとなって、保持枠体２０の内部空間をより有効に活用することができる。
【００３６】
被係合部２８は、袋状容器１０の係合部１８に対して係合状態を形成できればよく、袋状容器１０の取り替えをより容易とする点で、係合部１８に対して係脱自在であることが好ましい。この場合、係合部１８と被係合部２８とを容易に分離させることができるので、袋状容器１０を保持枠体２０から取り出してポケット等に入れ、屋外等においても容易に使用することができる。
【００３７】
図４，図５等に示す例では、係合部１８と被係合部２８とを係合させると、その係合状態を保って袋状容器１０と保持枠体２０とを相対的に上下方向にスライドさせることができる。そして、図５に示されるように袋状容器１０の底面１１ｆが保持枠体２０の底部２０ｆに載った状態にすることにより、袋状容器１０を保持枠体２０で下方向に安定状態に収納保持することができる。
【００３８】
ウェブ収納容器においては、使用時、蓋体１５が枠体開口部２３の外側に向かって開き、袋状容器１０と保持枠体２０とが係合された状態でウェブ取出口１２からウェブが枠体開口部２３の外側に向かって指などでつまみ出される。ウェブ収納容器における袋状容器１０と保持枠体２０との位置関係は、係合部１８と被係合部２８との係合関係によるところが大きく、指などでウェブを取り出す際においても、できるだけ係合部１８と被係合部２８との係合位置ずれを生じないように係合部１８と被係合部２８との係合構造部に指が触れてしまうことを避けることが好適である。この点、本実施例のウェブ収納容器においては、ウェブは順次袋状容器１０内から取り出される際、指などが被係合部２８にぶつかりにくく、保持枠体２０に対する袋状容器１０の位置に上方向へのずれ等がより一層生じにくくなる。
【００３９】
ウェブ収納容器は、図５に示されるように立てた状態であれ、ウェブ取出口１２が上方に向くように横にした状態であれ、どのような条件下でも非常に安定した状態に配置することができ、ウェブを容易に引き出して使用することができる。また、ウェブ収納容器は、室内外の壁や柱等に設けられたフック、吸盤或いは吊るし紐等（図示せず）を取付孔２２や紐掛孔３０，３０に取り付けても、非常に安定して使用することができる。
【００４０】
図６の（６Ａ）（６Ｂ）は本発明の第２の実施例を示している。第２の実施例では、被係合部２８を、その内端側をよりさらに内側方向に延出して、その延出端の位置に、奥方に向かってリブ３１が立設形成されている。このように、リブ３１が設けられることで被係合部２８の強度が上がる。すなわち、例えば、蓋体１５を閉じた際、蓋体１５前方から力が加わった場合、リブ３１が設けられていることで、被係合部２８の反り等の発生を抑制することができる。なお、第２の実施例では、上記したリブ３１の構成を除くほかの構成については、第１の実施例と同様の構成でよい。
【００４１】
なお、リブ３１の突出高さは、係合部１８と被係合部２８との係合状態が形成された状態で、出口部材１３に非接触となる高さとされている。また、リブ３１の形成位置は、前部２０ａの前面からウェブ収納容器を見た場合に枠体開口部２３内に臨まない所定位置となっている。その理由は、第１の実施例において被係合部２８の位置を枠体開口部２３内に臨まない位置とする理由と同様である。
【００４２】
なお、本発明は上記各実施例の態様に限定されるものではなく、請求の範囲に記載された発明の概念に含まれるすべての態様を含むものである。
【要約】
詰め替えが容易で、美観にも優れ、かつ取出し口の方向を上方、水平方向、下方のいずれに向けてもウェブの取り出しと蓋の開閉が容易で、保持枠体の内部空間をより有効に活用することの可能なウェブ収納容器を提供する。
内部にウェブ積層体を収納した袋状容器と、前記袋状容器を収納保持可能に構成された保持枠体と、を備えたウェブ収納容器において、保持枠体は、前部と後部と側部と底部を有しており前記袋状容器には、前面部に、ウェブ取出口と、前記袋状容器の前面部又は側面部から突出する係合部とが設けられており、前記保持枠体の側部から保持枠体内向きに突出した支持部にて支持される被係合部が形成されており、前記被係合部が、前記保持枠体の前部から後部側に向かって間隔をあけた所定位置に配置されている。前記係合部と前記被係合部が係合することにより、前記袋状容器が前記保持枠体に保持される。【図１】
0005732179.tif 000002
【図２】
0005732179.tif 000003
【図３】
0005732179.tif 000004
【図４】
0005732179.tif 000005
【図５】
0005732179.tif 000006
【図６】
0005732179.tif 000007
【図７】
0005732179.tif 000008